(57)【要約】      （修正有）【課題】使い勝手の良い巻き出し式フセンディスペンサーを提供する。【解決手段】フセン収納筒２と、フセン収納筒２の一端を閉塞する閉塞壁１２の内面に軸受１４を形成した閉塞部１０と、フセン収納筒２の他端側に回転可能に取り付けられた操作部２２を有し、この操作部２２の内面から閉塞部１０側へ突設する軸棒２６の先端部を軸受１４に回転可能に支承させた回転部材２０と、軸棒２６の周面に、粘着層を片面に有する帯状フセン３４を巻装しかつ固定してなるロールフセン３０とを具備する。フセン収納筒２の一部にフセン取出し口４を開口し、ロールフセン３０から突出する帯状フセン３４を、操作部２２の回転操作により、フセン取出し口４より巻き出すことが可能に構成した。【選択図】図２
2019094165.tif 000002
【特許請求の範囲】
【請求項１】
フセン収納筒(２)と、
フセン収納筒(２)の一端を閉塞する閉塞壁(１２)の内面に軸受(１４)を形成した閉塞部(１０)と、
フセン収納筒(２)の他端側に回転可能に取り付けられた操作部(２２)を有し、この操作部(２２)の内面から前記閉塞部(１０)側へ突設する軸棒(２６)の先端部を前記軸受(１４)に回転可能に支承させた回転部材(２０)と、
前記軸棒(２６)の周面に、粘着層(３４ｂ)を片面に有する帯状フセン(３４)を巻装しかつ固定してなるロールフセン(３０)とを具備し、
前記フセン収納筒(２)の一部にフセン取出し口(４)を開口し、前記ロールフセン(３０)から突出する帯状フセン(３４)を、前記操作部(２２)の回転操作により、前記フセン取出し口(４)より巻き出すことが可能に構成した、巻出し式フセンディスペンサー。
【請求項２】
前記操作部(２２)は、前記フセン収納筒(２)に対して正逆両方向へ回転可能に取り付けられていることを特徴とする、請求項１記載の巻出し式フセンディスペンサー。
【請求項３】
前記フセン取出し口(４)は、フセン収納筒(２)の筒軸方向へ延びるスリット形状であり、ロールフセン(３０)から突出された帯状フセン(３４)の両面のうち、フセン収納筒(２)の筒軸方向から見て前記軸棒(２６)に近い側にある面(Ａに前記粘着層(３４ｂ)を形成したことを特徴とする、請求項１又は請求項２に記載の巻出し式フセンディスペンサー。
【請求項４】
前記フセン取出し口(４)の幅方向両側のうちで、フセン収納筒(２)の筒軸方向から見て、前記ロールフセン(３０)から突出された帯状フセン(３４)よりも前記軸棒(２６)に近い側の側縁(Ｂ)に面取り部(６)を形成したことを特徴とする、請求項３記載の巻出し式フセンディスペンサー。
【発明の詳細な説明】
【技術分野】
【０００１】
本発明は、巻出し式フセンディスペンサー、特にペン型の巻出し式フセンディスペンサーに関する。
【背景技術】
【０００２】
ペン型にフセンディスペンサーとして、両端開口のフセン収納筒と、フセン収納筒の両端部内に打設され、内面に軸受穴を穿設した一対の栓部と、それら軸受穴に両端部を嵌着した軸棒と、この軸棒に回転可能に嵌合した筒体の周囲に帯状のフセンを巻きつけてなるロールフセンとを具備し、前記フセン収納筒の筒壁に筒軸方向に延びるスリットを穿設し、このスリットを介して、前記ロールフセンから引き出したフセンの先部を外方へ突出するように設けたものが知られている。
【先行技術文献】
【特許文献】
【０００３】
【特許文献１】特開２０１６−１４１０９６
【発明の概要】
【発明が解決しようとする課題】
【０００４】
特許文献１のものは、スリットから突出した帯状フセンの先端部を指で摘んで所用長さの帯状フセンを引き出し、これを切り取って使用する態様で使用される。
しかしながら、前回使用したときにスリット側に残された帯状フセンの先端部の突出長が短いと、その先端部を指で摘みにくいという不都合があった。
またこれとは逆にスリットから突出する帯状フセンの先端部の突出長が長過ぎときに、これをフセン収納筒内に戻すことが難しいという不都合もあった。
スリットから外方突出する帯状フセンの先端部は、その粘着層に埃などが付着して粘着力が低減し、或いは喪失するために役に立たなくなってしまう。そうすると、そうなると余分の長さの帯状フセンをフセン収納筒から引き出して、切り取った帯状フセンのうちで役に立たない部分は廃棄することになり、無駄が多い。
【０００５】
本発明の第１の目的は、使い勝手の良い巻き出し式フセンディスペンサーを提供することである。
本発明の第２の目的は、フセンを無駄なく使用出来る巻き出し式フセンディスペンサーを提供することである。
【課題を解決するための手段】
【０００６】
第１の手段は、フセン収納筒２と、
フセン収納筒２の一端を閉塞する閉塞壁１２の内面に軸受１４を形成した閉塞部１０と、
フセン収納筒２の他端側に回転可能に取り付けられた操作部２２を有し、この操作部２２の内面から前記閉塞部１０側へ突設する軸棒２６の先端部を前記軸受１４に回転可能に支承させた回転部材２０と、
前記軸棒２６の周面に、粘着層３４ｂを片面に有する帯状フセン３４を巻装しかつ固定してなるロールフセン３０とを具備し、
前記フセン収納筒２の一部にフセン取出し口４を開口し、前記ロールフセン３０から突出する帯状フセン３４を、前記操作部２２の回転操作により、前記フセン取出し口４より巻き出すことが可能に構成した。
【０００７】
本手段では、フセン収納筒２の一端を閉塞する閉塞壁１２に軸受１４を形成し、フセン収納筒２の他端に回転可能に取り付けられた操作部２２から突出する軸棒２６の先端部を前記軸受１４に支承させ、前記軸棒２６の固定させたロールフセン３０から突出する帯状フセン３４が、前記フセン収納筒２に形成されたフセン取出し口４を通過するように設けている。そして前記操作部２２の回転操作により当該帯状フセンを巻き出すことができる。従ってフセン取出し口４からの帯状フセン３４の突出長が短くても前記操作部２２を回転させることにより容易に取り出すことができる。
【０００８】
「閉塞部」は、図示例ではフセン収納筒の一端に一体に形成しているが、これと別体である蓋部としてもよい。
操作部が「取り付けられ」るとは、着脱自在に取り付けられることを含む。
【０００９】
第２の手段は、第１の手段を有し、
前記操作部２２は、前記フセン収納筒２に対して正逆両方向へ回転可能に取り付けられている。
【００１０】
本手段では、前記操作部２２が前記フセン収納筒２に対して正逆両方向へ回転可能に取り付けられている。これにより、操作部２２を正方向へ回転することにより帯状フセン３４を巻き出し、また操作部２２を逆方向へ回転することにより帯状フセン３４を巻き戻すことができるので、帯状フセン３４を過剰に巻き出したときに元に戻すことが容易である。
本明細書においては、単に“正方向”とは帯状フセンを巻き出すことができる向き、“逆方向”とは帯状フセンを巻き戻すことができる向きをいう。従ってどちらが時計周りの回転がならないというような限定はしないものとする。
【００１１】
第３の手段は、第２の手段を有し、
前記フセン取出し口４は、フセン収納筒２の筒軸方向へ延びるスリット形状であり、ロールフセン３０から突出された帯状フセン３４の両面のうち、フセン収納筒２の筒軸方向から見て前記軸棒２６に近い側にある面Ａに前記粘着層３４ｂを形成した。
【００１２】
本手段では、前記フセン取出し口４はフセン収納筒２の筒軸方向へ延びるスリット形状であり、かつ図１に示すように、ロールフセン３０から突出された帯状フセン３４の両面のうち、フセン収納筒２の筒軸方向から見て前記軸棒２６に近い側にある面Ａに前記粘着層３４ｂを形成している。この構成によれば、スリットから巻き出された帯状フセン３４のうちの必要部分を切り取のちに、残りのフセン部分を、前記スリット状のフセン取出し口４の、前記筒軸方向から見て軸棒に近い方の側縁付近に粘着させることができる。従って、ロールフセン３０から突出された帯状フセンの全部がフセン収納筒２内へ脱落して、外部へ帯状フセンを巻き出すことができなくなることを防止できる。
【００１３】
第４の手段は、第３の手段を有し、
前記フセン取出し口４の幅方向両側のうちで、フセン収納筒２の筒軸方向から見て、前記ロールフセン３０から突出された帯状フセン３４よりも前記軸棒２６に近い側の側縁Ｂに面取り部６を形成した。
【００１４】
本手段では、図１に示すように、フセン取出し口４の幅方向両側のうちで、フセン収納筒２の筒軸方向から見て、前記ロールフセン３０から突出された帯状フセン３４よりも前記軸棒２６に近い側の側縁Ｂに面取り部６を形成している。
この構成では、ロールフセンからフセン取出し口４の内面に至る迄の区間とフセン収納筒２の外表面との間に面取り部６が介在するから、前記区間からフセン収納筒２の外表面へ至る間の角度の変化が緩やかになる。従ってフセン取出し口４の、前記筒軸方向から見て軸棒に近い方の側縁付近に帯状フセン３４の先端部を粘着させる作業が容易となる。
【発明の効果】
【００１５】
第１の手段に係る発明によれば、回転部材２０を回転操作することにより、フセン収納筒２のフセン取出し口４から、帯状フセン３４が巻き出されるので便利である。
り、さらに操作使い勝手がよい。
第２の手段に係る発明によれば、前記操作部２２は、前記フセン収納筒２に対して正逆両方向へ回転可能に取り付けられているから、操作部２２を正方向に回転させて、フセン取出し口４から巻き出すとともに、過剰に巻き出したときには、操作部２２を逆方向に回転させて、巻き出された帯状フセンのうち不必要な部分を、前記フセン取出し口４を介してフセン収納筒２内に巻き戻すことができるから、さらに使い勝手がよい。
第３の手段に係る発明によれば、ロールフセン３０から突出された帯状フセン３４の両面のうち、フセン収納筒２の筒軸方向から見て前記軸棒２６に近い側にある面Ａに前記粘着層３４ｂを形成したから、フセン取出し口４であるスリットから巻き出された帯状部分のうちの必要部分を切り取り、残りのフセン部分を、前記スリットの、前記筒軸方向から見て軸棒に近い方の口縁付近に粘着させることができる。
第４の手段に係る発明によれば、前記フセン取出し口４の幅方向両側のうちで、フセン収納筒２の筒軸方向から見て、前記ロールフセン３０から突出された帯状フセン３４よりも前記軸棒２６に近い側の側縁Ｂに面取り部６を形成したから、当該側縁に対して帯状フセン３４の先端部を粘着させる作業が容易となる。
【図面の簡単な説明】
【００１６】
【図１】本発明の実施形態に係る巻出し式フセンディスペンサーの横断面図である。
【図２】図１のフセンディスペンサーのII-II方向の横断面図である。
【図３】図２に示す構成の要部の拡大図である。
【図４】図３に示す構成の要部の変形例（面取り部の形成を省略した例）であり、同図（Ａ）は、この例において帯状フセンのテープ本体の両面のうちの軸棒側に粘着層を形成した構成を、同図（Ｂ）は、前記両面の軸棒と反対がわに粘着層を形成した構成をそれぞれ示している。
【図５】帯状フセンの拡大断面図である。
【図６】図１のフセンディスペンサーの使用状態の説明図であり、  同図（Ａ）は、操作部を使用して帯状フセンを巻き出す状態を、  同図（Ｂ）は、巻き出された帯状フセンを延ばした状態を、    同図（Ｃ）は、巻き出された帯状フセンのうち必要分を切り取る状態を、    同図（Ｄ）は、余分に巻き戻された帯状フセンを巻き戻す状態を、    同図（E）は、スリットから突出する状態を、スリットの側縁に貼り付ける状態を示す図である。
【発明を実施するための最良の形態】
【００１７】
図１から図３は、本発明の実施形態に係るフセンディスペンサーを示している。このフセンディスペンサーは、フセン収納筒２と、閉塞部１０と、回転部材２０と、ロールフセン３０とで形成される。フセン収納筒２、閉塞部１０、及び回転部材２０の各部部分は例えば合成樹脂材で形成することができる。
【００１８】
フセン収納筒２は、本実施形態において、直筒状の筒体であり、一端（先端）側を閉塞部１０で閉塞するとともに、他端を開口している。図示例において、フセン収納筒２の一端は前記閉塞部１０に連続形成しているが、フセン収納筒２と閉塞部１０とを別体に形成しても構わない。図示のフセン収納筒２は円筒形であるが、例えば角筒状に形成しても良い。
フセン収納筒２の筒壁には、フセン取出し口４が開口されている。
本実施形態のフセン取出し口４はフセン収納筒２の筒軸方向に延びるスリットに形成されている。
また本実施形態では、フセン取出し口４の口縁の両側縁の片側に、面取り部６を形成している。もっとも、この構成は必須ではなく、図４に示すように、フセン取出し口４の口縁の両側面をフセン収納筒２の内面に対して直角に形成しても良い。これらの構成に関してはさらに後述する。
【００１９】
閉塞部１０は、前記フセン収納筒２の一端（先端）を閉塞する閉塞壁１２を有する。この閉塞壁１２の内面中央部には、軸受１４を設ける。図示例の軸受１４は閉塞壁１２に穿設された軸受穴として形成されている。しかしながら、これに限定されることなく、例えば閉塞壁から突出する軸受筒として形成しても構わない。
【００２０】
回転部材２０は、前記フセン収納筒２及び閉塞部１０に対して回転可能に設けられた部材であり、操作部２２と取付筒部２４と軸棒２６とで形成されている。
前記操作部２２は、前記回転部材２０をフセン収納筒２に対して回転操作するための部位であり、図示例においては、後述の取付筒部２４を介してフセン収納筒２を回転可能に取り付けられている。もっともこの構成は適宜変更することができる。
本実施形態において、操作部２２は、操作筒２２ａと、この操作筒２２ａの一方側の端面を閉塞する端板部２２ｂとで一体的に形成されている。図示の操作筒２２ａは円筒状であり、かつフセン操作筒２２ａよりやや大径である。しかしながら、これらの構成は適宜変更することができる。
前記取付筒部２４及び軸棒２６は、前記端板部２２ｂから、前記操作筒２２ａの筒軸方向に対して前記フセン収納筒２に対して同心状に突出されている。
前記取付筒部２４は、前記フセン収納筒２の他端（基端）側の内面に回転可能に嵌着されている。取付筒部２４はフセン収納筒２に対して着脱自在に嵌合されており、後述のロールフセン３０を使い尽くしたときに新たなロールフセンを補充できるようにしている。しかしながら、このことは本発明に必須の要件ではない。
前記軸棒２６は、取付筒部２４より長く、かつ軸棒２６の先端部が閉塞部１０の軸受１４内に回転可能に支承されている。
【００２１】
ロールフセン３０は、前記軸棒２６の周りに取り付けられた筒体３２と、筒体３２の周りに巻きつけられた帯状フセン３４とで形成されている。
前記筒体３２は、好適な図示例において、操作部２２の回転操作によりフセン取出し口４から帯状フセン３４を巻き出し、かつ巻き戻すことができる程度の嵌合強度で軸棒２６の周りに嵌着されており、かつ前記軸棒２６の長手方向にスライド可能に取り付けられている。もっともこれらの構成は適宜変更することができる。
前記帯状フセン３４は、その基端部e１側を前記筒体３２に固定させて、筒体３２の周囲に巻き付けられるとともに、帯状フセンの先端部e２側を、フセン取出し口４を介して外方へ突設している。フセン取出し口から外方へ突出したフセン部分は、フセン取出し口４の口縁に隣接するフセン収納筒２の外面に粘着されている。これは、帯状フセン３４の先端部を摘み易くするため、及び、フセン取出し口４の外方に突出したフセン部分の粘着層３４ｂに埃などが付着して、粘着力が低減するのを防止するためである。
本実施形態において、前記の帯状フセン３４は、テープ本体３４ａと、テープ本体３４ａの片面に形成された粘着層３４ｂとで形成されている。
前記テープ本体３４ａは、例えば紙やプラスチック製のフィルムで形成することができる。逗子のテープ本体３４ａには、一定の間隔で切り離し線３６が形成され、２本の切り離し線の間のテープ本体部分のうちの一端部（フセンの突出方向外寄りの端部）を摘み部３８として残して、残りの部分に粘着層３４ｂを形成している。もっともこの構成は適宜変更することができる。
前記粘着層３４ｂは、好適な図示例において、テープ本体３４ａの両面のうち、フセン収納筒２の筒軸方向から見て、前記軸棒２６に近い側にある面Ｂに形成されている。
仮に、前記軸棒２６から遠い面Ｂ’に粘着層３４ｂを設けた場合には、図４（Ｂ）に示すように、ロールフセン３０からフセン取出し口４に至る区間に比べて、テープ本体３４ａの変形の程度が大きくなり、テープ本体３４ａの素材によっては、フセン取出し口の外方へ突出したフセン部分を口縁付近のフセン収納筒２の外面に粘着させたときに、テープ本体の弾性復元力により剥離してしまう可能性がある。
これに対して、粘着層３４ｂを、フセン収納筒２の筒軸方向から見て、前記軸棒２６に近い側にある面Ｂに形成したときには、図４（Ａ）に示すように、たとえ面取り部６が設けられていなくても、テープ本体３４ａの変形の度合いが小さくなり、帯状フセン３４の先端部をフセン取出し口４に隣接するフセン収納筒２の外面に安定的に留めることができる。
【００２２】
また本発明では、面取り部６は、前記フセン取出し口４の幅方向両側のうちで、フセン収納筒２の筒軸方向から見て、前記ロールフセン３０から突出された帯状フセン３４よりも前記軸棒２６に近い側の側縁Ｂに形成されている。これにより、ロールフセン３０からフセン取出し口４に至る区間と、フセン収納筒２の外面との間に面取り部６が介在することになり、テープ本体３４ａの変形の程度が緩やかとなり、フセン収納筒２の外面への帯状フセン３４の先端部e２の留めつけを確実にすることができる。
【００２３】
なお、前記フセン収納筒２及び閉塞部１０を覆うオーバーキャップ４０を設ける。オーバーキャップ４０は、前記取付筒部２４の外面に嵌合させた筒壁部４０ａと、この筒壁部４０ａの先端面を閉塞する天板部４０ｂとで形成されている。
【００２４】
本発明の巻出し式フセンディスペンサーの使用方法を図面に従って説明する。
図１の状態で、ロールフセン３０から延びる帯状フセン３４の先端部e２は、その裏側に設けられた粘着層３４ｂにより、フセン取出し口４の面取り部６及びこれに隣接するフセン収納筒２の外面に留め付けられている。この留め付けにより、フセン取出し口の外側へ突出した帯状フセンの先端部e２の粘着層３４ｂに埃が付着することを防いでいる。
なお、先端部e２のうちの最も外側の部分は、前記粘着層３４ｂが形成されていない摘み部３８であり、フセン収納筒２の外面に付着されていないが、当該外面に近接した位置にある。
利用者が帯状フセン３４を取り出して使用する際に、フセン取出し口４の外側にある摘み部３８を摘んで引き出すこともできるが、前述の通り、この時点での摘み部３８はフセン収納筒２の外面に近接しており、必ずしも摘み易い状態ではない。
また前回使用したときに帯状フセン３４の先端部e２をフセン収納筒２の外面に留め付けると言う作業を失念した結果として、帯状フセン３４の先端部e２がフセン取出し口４の内部にあり、摘むことができないと言う場合も考えられる。
そこで本発明のディスペンサーの巻出し機構を用いたフセンの取り出し方を説明する。
【００２５】
図１の状態から、フセン収納筒２に対して操作部２２を開方向に回転させる。そうすると、操作部２２と共に軸棒２６及びロールフセン３０がフセン収納筒２に対して回転するため、ロールフセン３０から巻き出された帯状フセン３４がフセン取出し口４の外側に突き出る（図６（Ａ）参照）。
次にこの突き出し部分を摘んでフセン収納筒２の外面への留め付け箇所を剥離させ、フセン取出し口４から出た帯状フセン３４を引き延ばし（図６（Ｂ）参照）、
所用の長さの帯状フセン３４を切り取り（図６（Ｃ）参照）、
必要以上に帯状フセン３４を巻き出していた場合には、操作部２２を逆回転させて、帯状フセン３４を巻き戻し（図６（Ｄ）参照）、
最後にフセン取出し口４の外側に残った帯状フセン３４の先端部e２を、その粘着層３４ｂを介して面取り部６及びこれに隣接するフセン収納筒２の外面部分に付着させる（図６（Ｅ）参照）。
【符号の説明】
【００２６】
２…フセン収納筒  ４…フセン取出し口  ６…面取り部
１０…閉塞部  １２…閉塞壁  １４…軸受
２０…回転部材  ２２…操作部  ２２ａ…操作筒  ２２ｂ…端板部
２４…取付筒部  ２６…軸棒
３０…ロールフセン  ３２…筒体
３４…帯状フセン  ３４ａ…テープ本体  ３４ｂ…粘着層  ３６…切り離し線
３８…摘み部
４０…オーバーキャップ  ４０ａ…筒壁部  ４０ｂ…天板部
e１…基端部  e２…先端部
【図１】
2019094165.tif 000003
【図２】
2019094165.tif 000004
【図３】
2019094165.tif 000005
【図４】
2019094165.tif 000006
【図５】
2019094165.tif 000007
【図６】
2019094165.tif 000008